(57)【要約】      （修正有）【課題】浮動装飾灯の外絵筒を情景によって色合い、花柄、図柄あるいは文字を便利で簡単に取り換えられる置き飾り用装飾灯の構造を提供する。【解決手段】置き飾り用装飾灯の構造に係り、音響本体と浮動装飾灯が含まれている。内ランプの笠４１、外絵筒４２、トップカバー４３及びベース台座４４が含まれる。外絵筒は内ランプの笠の外側に被せ、内ランプの笠と外絵筒の上下の端の縁に対して、各々、トップカバー下端及びベース台座上方を連結する構造とし、それらの連結は、必要に応じて取り外すことができる構造である。これにより、浮動装飾灯の外絵筒を情景によって色合い、花柄、図柄あるいは文字を便利で簡単に取り換えられる。【選択図】図５
0003186195.tif 000002
【実用新案登録請求の範囲】
【請求項１】
音響本体と浮動装飾灯を含み、
前記浮動装飾灯には、内ランプの笠、外絵筒、トップカバー及びベース台座が含まれ、
前記内ランプの笠は、透光性の円筒型カバーで、該内ランプの笠の上端にはスレッド部を設け、該内ランプの笠の下端の縁には逆Ｌ字型固定用噛み合わせ溝が設けられており、
前記外絵筒は、透光性の円筒型カバーで、前記外絵筒は、前記内ランプの外側に設けられ、
前記トップカバーの底面には、リング状スレッド部を設け、該リング状スレッド部は前記内ランプの笠の上端に設けている前記スレッド部と対応しており、前記内ランプの笠の前記スレッド部と相互に噛み合わせ、前記トップカバーの底面にリング状プラグ溝を設けて、前記外絵筒の上端を前記トップカバー底面に設けている前記リング状プラグ溝に差し込み接続でき、
前記ベース台座には、その上面に噛み合わせ連結バンプを設け、該連結バンプは、前記内ランプの笠の下端の縁に設けている前記逆Ｌ字型固定用噛み合わせ溝と対応しており、前記内ランプの笠の下端の縁に設けた前記逆Ｌ字型固定用噛み合わせ溝を前記ベース台座上面に設けている前記連結バンプと相互に噛み合わせ、前記ベース台座には、リング型連結プラグ溝を設けて、前記外絵筒の下端を該リング型連結プラグ溝に差し込んで組み合わせることを特徴とする置き飾り用装飾灯の構造。
【考案の詳細な説明】
【技術分野】
【０００１】
本考案は、置き飾り用装飾灯の構造に係り、特に浮動する装飾灯の外絵筒を交換することができ、情景に合わせて浮吊り装飾灯の色合い、花柄、図柄もしくは文字を取り換えられる構造にした置き飾り用装飾灯の構造の改良に関する。
【背景技術】
【０００２】
図１は従来の置き飾り用装飾灯の一種である。音響本体10と浮動装飾灯20が含まれる。浮動装飾灯20は、円筒型ランプ笠21、ランプ笠21の上にトップカバー22が組み込まれ、ランプ笠21の下にベース台座23が組み込まれている。浮動装飾灯20内部には非磁気浮上体と光源のパーツ（浮動装飾灯20内部の非磁気浮上体と光源のパーツは今回登録請求対象外なので、ここでは詳細を説明しない）が組み込まれ、浮動装飾灯20に対して磁気浮上原理を活用し音響本体10の上方に浮かせる同時に音響本体10上方で回転することができる。浮動装飾灯20の内部光源は、浮動装飾灯20のランプ笠21から外へ投射できる。通常、ランプ笠21の表面には装飾的色彩、花柄、図柄もしくは文字がプリントされている。一例として図１のランプ笠21の表面には経文がプリントされている。  
夜間などに、様々な模様や文字を浮かび上がらせて照明したり、机の上や寝具のそばに置いてメッセージなどを流し照明したり、音や声など周りの状況に応じて光り方が変化するようにする従来の電光装飾灯として特許文献１に記載したものが開示されている。
【先行技術文献】
【特許文献】
【０００３】
【特許文献１】特開平７−７３７０７号公報
【考案の概要】
【考案が解決しようとする課題】
【０００４】
上述の従来の置き飾り用装飾灯は、感受性的効果やハイテク感の溢れる置き飾り用装飾灯を提供することができるが、浮動装飾灯20のランプ笠21、トップカバー22とベース台座23の構造は、固定されている為、ランプ笠21、トップカバー22とベース台座23は、一旦固定されると分解することが困難である。この為に、浮動装飾灯20内部の非磁気浮上と光源のパーツのメンテナンスができない上、ランプ笠21表面の色、図柄、文字、花柄は固定されたデザインであり、使用者や場所の情景変化に合わせて取り換えられないため、その使用性が完全発揮できる置き飾り用装飾灯の構造を提供することはできなかった。  
そこで、本考案の目的は、便利に浮動装飾灯の外絵筒を取り換えられ、また情景に合わせ浮動装飾灯の色合い、花柄、図柄もしくは文字を換えられる置き飾り用装飾灯の構造を提供することである。
【課題を解決するための手段】
【０００５】
上述の目的を達成するために、本考案の一態様の置き飾り用装飾灯の構造は、音響本体と浮動装飾灯が含まれ、該浮動装飾灯は、内ランプの笠と外絵筒、トップカバーとベース台座が含まれる。
【０００６】
前記内ランプの笠は、透光性の円筒型カバーで、該内ランプの笠の上端には、スレッド部を設け、下端の縁には、逆Ｌ字型固定用噛み合わせ溝が設けられている。
【０００７】
前記外絵筒は、透光性の円筒型カバーで、前記外絵筒は、前記内ランプの笠の外側に設ける。
【０００８】
前記トップカバーの底面には、リング状スレッド部を設けている。該リング状スレッド部は前記内ランプの笠の上端に設けている前記スレッド部と対応していて、前記内ランプの笠の該スレッド部と相互に噛み合わせる。前記トップカバーの底面にはリング状プラグ溝を設けていて、前記ランプの笠の上端を前記トップカバー底面に設けている前記リング状プラグ溝に差し込み接続できるようになっている。
【０００９】
前記ベース台座の上面に噛み合わせ連結バンプを設けた。該連結バンプは、前記内ランプの笠の下端の縁に設けている前記逆Ｌ字型固定用噛み合わせ溝と対応して、前記内ランプの笠の下端の縁に設けた前記逆Ｌ字型固定用噛み合わせ溝を前記ベース台座上面に設けている前記連結バンプと相互に噛み合わせる。さらに前記ベース台座には、リング型連結プラグ溝を設けて、前記外絵筒の下端を該リング型連結プラグ溝に差し込んで組み合わせる。
【考案の効果】
【００１０】
上述の構造をもって、便利に浮動装飾灯の外絵筒を取り換えられるようになる。また、情景に合わせ浮動装飾灯の色合い、花柄、図柄もしくは文字を換えられる。
【図面の簡単な説明】
【００１１】
【図１】従来の置き飾り用装飾灯の側面図である。
【図２】本考案の一実施例の置き飾り用装飾灯の構造の立体図である。
【図３】本考案における浮動装飾灯の構造の立体分解図である。
【図４】本考案における浮動装飾灯の構造の側面図である。
【図５】本考案における浮動装飾灯の構造の断面図である。（図４のＩ−Ｉ線の断面図）
【考案を実施するための形態】
【００１２】
本考案の課題を解決するための技術手段および構造について、図２から図５に照らし合わせて、以下の通り説明する：
【実施例】
【００１３】
図２で示している様に、本考案の置き飾り用装飾灯の構造には音響本体30と浮動装飾灯40が含まれている。
【００１４】
図３及び図４で示している様に、浮動装飾灯40には、内ランプの笠41、外絵筒42、トップカバー43及びベース台座44が含まれる。
【００１５】
図５に示すように、内ランプの笠41は、透光性の円筒型カバーで、内ランプの笠41の上端には、スレッド部411を設け、内ランプの笠41下端の縁には逆 L字型固定用噛み合わせ溝412が設けられている。
【００１６】
外絵筒42は、透光性の円筒型カバーで、外絵筒42の表面には、色彩、花柄、図柄あるいは文字がプリントされている。図２から図４の外絵筒42の表面には、実施例として経文がプリントされている。外絵筒42の直径は内ランプの笠41より若干大きく、外絵筒42は内ランプの笠41の外側に設ける。
【００１７】
トップカバー43の底面には、リング状スレッド部431を設けている。スレッド部431は内ランプの笠41の上端に設けているスレッド部411と対応していており、内ランプの笠41のスレッド部411はトップカバー43底面に設けているリング状スレッド部431と相互に噛み合わせる。トップカバー43底面にリング状プラグ溝432を設け、外絵筒42の上端をトップカバー43底面のリング状プラグ溝432に差し込み、接続できるようにしている。
【００１８】
ベース台座44には、その上面に噛み合わせ連結バンプ441を設けた。連結バンプ441は、内ランプの笠41の下端の縁に設けている逆L字型固定用噛み合わせ溝412と対応しており、内ランプの笠41の下端の縁に設けた逆L字型固定用噛み合わせ溝412をベース台座44上面に設けている連結バンプ441と相互に噛み合わせる。ベース台座44には、リング型連結プラグ溝442を設けて、外絵筒42の下端をリング型連結プラグ溝442に差し込んで組み合わせる。
【００１９】
上述の構造をもって、本考案は浮動装飾灯40の外絵筒42を便利で簡単に取り換えられるようになり、情景に合わせ浮動装飾灯40の色合い、花柄、図柄もしくは文字を換えらることで、その使用価値を向上した。
【００２０】
さらに説明するのは、本考案の浮動装飾灯40の内部には、従来の磁気浮上体と光源のパーツが組み込まれ、浮動装飾灯40は磁気浮上原理を活用し音響本体10の上方に浮かせる。同時に音響本体30上方で回転することができる。浮動装飾灯40の内部光源は内ランプの笠41、外絵筒42から外へ投射できる。ただ今回の請求の範囲対象ではないので、ここでは詳細は説明しない。
【００２１】
上記説明および図面で示した実施例から分かるように、本考案は従来の置き飾り用装飾灯に比べて、情景に合わせ浮動装飾灯の色合い、花柄、図柄もしくは文字を換えらるので、確かに顕著な進歩性をもっている。
【符号の説明】
【００２２】
＜従来技術＞
１０      音響本体
２０      浮動装飾灯
２１      ランプの笠
２２      トップカバー
２３      ベース台座
＜本考案＞
３０      音響本体
４０      浮動装飾灯
４１      内ランプの笠
４１１    スレッド部
４１２    逆Ｌ字型固定用噛み合わせ溝
４２      外絵筒
４３      トップカバー
４３１    スレッド部
４３２    リング状プラグ溝
４４      ベース台座
４４１    連結バンプ
４４２    リング型連結プラグ溝
【図１】
0003186195.tif 000003
【図２】
0003186195.tif 000004
【図３】
0003186195.tif 000005
【図４】
0003186195.tif 000006
【図５】
0003186195.tif 000007